(57)【特許請求の範囲】
【請求項１】
内視鏡を自動的に洗滌消毒する内視鏡洗滌消毒装置において、
前記内視鏡が収容される装置本体の洗滌消毒槽と、
前記装置本体の上部に、該装置本体に対し開閉自在に接続された、前記洗滌消毒槽の前記内視鏡の収容口を閉成する蓋体と、
を具備し、
前記蓋体の内面においてあらかじめ設定された前記内視鏡の接触部位に対向する領域のみに、凹部が形成されており、
前記凹部により、前記蓋体が閉成された状態において前記蓋体の前記内面が前記洗滌消毒槽に収容された前記内視鏡に対して非接触となるとともに、前記蓋体の前記内面と前記内視鏡との間に間隙が形成され、
前記接触部位は、前記内視鏡において該内視鏡の操作部から延出する挿入部とユニバーサルコードとが重畳して交差する部位であることを特徴とする内視鏡洗滌消毒装置。
【請求項２】
前記凹部の径は、前記挿入部または前記ユニバーサルコードの径よりも大径に形成されていることを特徴とする請求項１に記載の内視鏡洗滌消毒装置。
【発明の詳細な説明】
【技術分野】
【０００１】
本発明は、蓋体によって収容口が閉成された装置本体の洗滌消毒槽に収容された内視鏡を自動的に洗滌消毒する内視鏡洗滌消毒装置に関する。
【背景技術】
【０００２】
体腔内の検査や治療の目的に使用される内視鏡は、体腔内に挿入する挿入部の外表面だけでなく、各内視鏡管路内にも汚物が付着する。そのため、使用済みの内視鏡は、外表面に限らず、必ず各管路内までも洗滌、消毒する必要がある。
【０００３】
一般に、洗滌消毒装置を用いて内視鏡の洗滌処理、及び消毒処理を行う場合、先ず、洗滌消毒装置本体（以下、単に装置本体と称す）の洗滌消毒槽内に使用済みの内視鏡を収容し、適切な位置にセッティングする。
【０００４】
次いで、内視鏡管路内も洗滌消毒するため、洗滌消毒槽に設けられた、内視鏡管路内へ液体及び気体等の流体を供給するためのポートと、内視鏡の外表面に開口する内視鏡管路の管路接続口とを洗滌チューブ等を介して接続する。
【０００５】
次いで、洗滌消毒槽の収容口に対し、蓋体であるトップカバーを閉成した後、処理開始スイッチをＯＮする。すると、最初に洗滌工程が開始され、次いで消毒工程が開始される。洗滌工程では、先ず、洗滌消毒槽内に洗滌液が供給される。そして、この洗滌液が設定水位に達した後、洗滌が開始される。洗滌液は循環しており、その水流にて内視鏡の外表面が洗滌される。
【０００６】
また、この際、循環ポンプで吸引した洗滌消毒槽内の洗滌液が、洗滌消毒槽のポートから吐出されることにより、内視鏡管路内に、洗滌チューブ及び管路接続口を介して洗滌液が導入される。
【０００７】
洗滌工程終了後は、消毒工程において洗滌消毒槽及び内視鏡管路内に、洗滌液の供給と同様に、消毒液を供給して内視鏡外表面及び各管路内の消毒を行い、次いで、洗滌液の供給と同様にすすぎ水を供給して、内視鏡外表面及び各管路内のすすぎを行う。
【０００８】
最後に乾燥工程において、内視鏡管路内に、洗滌液及び消毒液の供給と同様に、コンプレッサ等の送気装置を用いて高圧エアを、設定時間供給することにより、内視鏡管路内の除水、乾燥を促進させて、一連の工程が終了する。
【０００９】
このように、内視鏡の外表面のみならず、内視鏡管路内までをも洗滌消毒することのできる内視鏡洗滌消毒装置は周知である。また、特許文献１には、内視鏡の外表面及び内視鏡管路内を洗滌消毒する際、洗滌消毒槽に洗滌液または消毒液を一杯に満たすことにより、該満たされた洗滌液または消毒液に接触するトップカバー内面の平面状の部位を洗滌消毒することのできる内視鏡洗滌消毒装置が提案されている。
【特許文献１】特開平１１−２７６４１８号公報
【発明の開示】
【発明が解決しようとする課題】
【００１０】
ところで、内視鏡洗滌消毒装置は、トップカバーを洗滌消毒槽の収容口に対し閉成した際、トップカバーの内面が、洗滌消毒槽に収容し、適切な位置にセッティングした内視鏡の外表面に接触しないよう設計されるのが一般的である。
【００１１】
しかしながら、洗滌消毒槽に対する内視鏡のセッティング位置が適切でない場合や、内視鏡を２本同時に洗滌消毒する等、洗滌消毒槽内において２本の内視鏡挿入部や２本の既知の内視鏡ユニバーサルコード等が巻回されてセットされた場合、特許文献１に開示された内視鏡洗滌消毒装置に示すように、トップカバーの内面が平面状を有していると、トップカバーが閉成された際、トップカバーの内面と、巻回された内視鏡挿入部等が大きな面積を以て接触してしまい、接触部位に洗滌液または消毒液が入り込まず、接触部位を洗滌消毒することが難しくなってしまうといった問題がある。
【００１２】
本発明の目的は、上記問題点に鑑みてなされたものであり、簡単な構成にて、洗滌消毒槽に対する内視鏡のセッティング性を向上させることができるとともに、確実に内視鏡を洗滌消毒することのできる内視鏡洗滌消毒装置を提供するにある。
【課題を解決するための手段】
【００１３】
上記目的を達成するために本発明による内視鏡洗滌消毒装置は、内視鏡を自動的に洗滌消毒する内視鏡洗滌消毒装置において、前記内視鏡が収容される装置本体の洗滌消毒槽と、前記装置本体の上部に、該装置本体に対し開閉自在に接続された、前記洗滌消毒槽の前記内視鏡の収容口を閉成する蓋体と、を具備し、前記蓋体の内面においてあらかじめ設定された前記内視鏡の接触部位に対向する領域のみに、凹部が形成されており、前記凹部により、前記蓋体が閉成された状態において前記蓋体の前記内面が前記洗滌消毒槽に収容された前記内視鏡に対して非接触となるとともに、前記蓋体の前記内面と前記内視鏡との間に間隙が形成され、前記接触部位は、前記内視鏡において該内視鏡の操作部から延出する挿入部とユニバーサルコードとが重畳して交差する部位であることを特徴とする。
【発明の効果】
【００１４】
本発明によれば、簡単な構成にて、洗滌消毒槽に対する内視鏡のセッティング性を向上させることができるとともに、確実に内視鏡を洗滌消毒することのできる内視鏡洗滌消毒装置を提供することができる。
【発明を実施するための最良の形態】
【００１５】
以下、図面を参照して本発明の実施の形態を説明する。尚、以下に示す実施の形態においては、内視鏡洗滌消毒装置は、２本の内視鏡を同時に洗滌消毒することのできる内視鏡洗滌消毒装置を例に挙げて説明する。
【００１６】
（第１実施の形態）
図１は、本実施の形態を示す内視鏡洗滌消毒装置の斜視図、図２は、図１のトップカバーが開成され、洗滌消毒槽に２本の内視鏡が収納自在な状態を示す内視鏡洗滌消毒装置の斜視図、図３は、図２の洗滌消毒槽に２本の内視鏡が収容された状態を示す、トップカバーが開成された際の内視鏡洗滌消毒装置の上面図である。
【００１７】
図１に示すように、内視鏡洗滌消毒装置１は、使用済みの２本の内視鏡（以下、２本の内視鏡をそれぞれ内視鏡１００、１１０と称す）を、２本同時に洗滌、消毒する装置であり、洗滌装置本体（以下、単に装置本体と称す）２と、その上部に、例えば図示しない蝶番を介して開閉自在に接続された蓋体であるトップカバー３とにより、主要部が構成されている。
【００１８】
図１に示すように、トップカバー３が装置本体２に閉じられている状態では、装置本体２とトップカバー３とは、装置本体２及びトップカバー３の互いに対向する位置に配設された、例えばラッチ８により、閉成後施錠される構成となっている。
【００１９】
また、図１、図２に示すように、装置本体２の操作者が近接する図中前面（以下、前面と称す）であって、例えば左半部の上部に、洗剤／アルコールトレー１１が、装置本体２の前方へ引き出し自在に配設されている。
【００２０】
洗剤／アルコールトレー１１には、内視鏡１００、内視鏡１１０を洗滌するに際し用いる液体である洗剤が注入されたタンク１１ａ、及び洗滌消毒後の内視鏡１００を乾燥する際に用いられる液体であるアルコールが注入されたタンク１１ｂが収納されており、洗剤／アルコールトレー１１が、引き出し自在なことにより、各タンク１１ａ，１１ｂに、所定に液体が補充できるようになっている。
【００２１】
尚、タンク１１ａに注入された洗剤は、図示しない給水フィルタにより濾過処理された水道水により所定の濃度に希釈される濃縮洗剤である。尚、本実施の形態では、以下の説明において、前記洗剤と前記水道水との混合液を洗滌液という。
【００２２】
また、洗剤／アルコールトレー１１には、窓部１１ｍが設けられており、該窓部１１ｍにより、各タンク１１ａ，１１ｂに注入されている洗剤及びアルコールの残量が操作者によって確認できるようになっている。
【００２３】
また、装置本体２の前面であって、例えば右半部の上部に、カセットトレー１２が、装置本体２の前方へ引き出し自在に配設されている。カセットトレー１２には、内視鏡１００、１１０を消毒する際に用いる、液体である、過酢酸等の消毒液となる主剤が注入されたボトル１２ａと、主剤の緩衝剤が注入されたボトル１２ｂとが収納されており、カセットトレー１２が、引き出し自在なことにより、ボトル１２ａ,１２ｂに、所定に液体が補充できるようになっている。尚、本実施の形態では、以下の説明において、前記主剤と前記緩衝剤との混合液を消毒液という。
【００２４】
さらに、装置本体２の前面であって、カセットトレー１２の上部に、洗滌消毒時間の表示や、消毒液を加温するための指示釦等が配設されたサブ操作パネル１３が配設されている。
【００２５】
また、装置本体２の図中前面の下部に、図１に示すように、装置本体２の上部に閉成されたトップカバー３を、操作者の踏み込み操作により、図２に示すように、装置本体２の上方に開成するためのペダルスイッチ１４が配設されている。
【００２６】
また、装置本体２の上面の、例えば操作者が近接する前面側の図中右端寄りに、装置本体２の洗滌，消毒動作スタートスイッチ、及び洗滌，消毒モード選択スイッチ等の設定スイッチ類が配設されたメイン操作パネル２５が設けられている。
【００２７】
また、装置本体２の上面であって、操作者が近接する前面に対向する背面側に、装置本体２に水道水を供給するための、水道蛇口に接続された給水ホース３１ａ（図３参照）が接続される給水ホース接続口３１が配設されている。尚、給水ホース接続口３１には、水道水を濾過するメッシュフィルタが配設されていてもよい。
【００２８】
さらに、装置本体２の上面の略中央部に、上方に開口する内視鏡収容口２ｓをトップカバー３によって開閉される、図２に示すように、内視鏡１００、１１０が収容自在な洗滌消毒槽４が設けられている。洗滌消毒槽４は、例えば槽本体５０と該槽本体５０の内視鏡収容口の外周縁に連続して周設されたテラス部５１とにより構成されている。
【００２９】
槽本体５０は、使用後の内視鏡１００、１１０が洗滌消毒される際、該内視鏡１００、１１０が収容自在であり、槽本体５０の槽内の面である底面５０ｔには、槽本体５０に供給された流体である、洗滌液，水，消毒液等を、槽本体５０から排水するための排水口５５が設けられている。
【００３０】
また、槽本体５０の槽内の面である周状の側面５０ｓの任意の位置に、槽本体５０に供給された洗滌液，水，消毒液等を、槽本体５０から内視鏡１００、１１０の内部に配設された各管路に供給する、後述する給水循環ノズル２４から槽本体５０に再度上記液体を供給するための循環口５６が設けられている。尚、循環口５６には、洗滌液，水，消毒液等を濾過するフィルタが設けられていても良い。
【００３１】
また、この循環口５６は、槽本体５０の底面５０ｔに設けられていてもよい。循環口５６が槽本体５０の底面５０ｔに設けられていれば、より早く水没するため、内視鏡１００の各管路、または再度槽本体５０への、洗滌液，水，消毒液等の供給タイミングを早めることができる。さらに、使用者が循環口５６に設けられたフィルタ等を交換するに際し、底面に設けられていると、操作者がアプローチしやすくなるといった利点がある。
【００３２】
また、洗滌消毒槽４の槽本体５０の底面５０ｔの略中央には、内視鏡洗滌消毒装置１の図示しない内部の給水管路に消毒液を供給し、この給水管路を消毒する給水管路消毒用ポート７が配設されている。
【００３３】
さらに、槽本体５０の底面５０ｔの略中央には、内視鏡１００、１１０の各スコープスイッチ等の釦類、鉗子栓等を収容して、該釦類及び鉗子栓等を、内視鏡１００、１１０と共に、洗滌消毒するための洗滌ケース６が配設されている。
【００３４】
また、槽本体５０の底面５０ｔの洗滌ケース６、給水管路消毒用ポート７を囲む位置に、図３に示すように、平面上、略環状の保持網６０が配設自在となっている。保持網６０は、洗滌消毒槽４に収容された際、載置された内視鏡１００、１１０を保持して、洗滌消毒に適切な位置に内視鏡１００、１１０をセッティングする。
【００３５】
また、保持網６０は、内視鏡１００、１１０を保持後、該内視鏡１００、１１０と底面５０ｔとの間に間隙を形成することにより、洗滌消毒の際、内視鏡１００、１１０の底面５０ｔに対向する部位を確実に洗滌消毒させるためのものである。
【００３６】
槽本体５０の側面５０ｓの任意の位置に、槽本体５０に供給された洗滌液、水、消毒液等の水位を検出するカバー付き水位センサ３２が設けられている。
【００３７】
洗滌消毒槽４のテラス部５１は、斜め上方に指向する傾斜面、具体的には、槽本体５０の、例えば底面５０ｔに対して、規定の角度傾斜した周状のテラス面５１ｔを有して形成されている。
【００３８】
テラス部５１のテラス面５１ｔ以外の面、即ち槽本体５０の底面５０ｔと平行な面５１ｆに、槽本体５０に対し、洗剤タンク１１ａから、後述する洗剤供給ポンプ４０（図４参照）により、洗滌液を供給するための洗剤ノズル２２が配設されている。尚、洗剤ノズル２２は、テラス面５１ｔに配設されていても良い。
【００３９】
また、テラス部５１のテラス面５１ｔに、図示しない薬液タンク５８から、槽本体５０に消毒液を供給するための消毒液ノズル２３が配設されている。
【００４０】
さらに、テラス面５１ｔに、槽本体５０に対し、洗滌、あるいはすすぎに使用する水を供給する、または槽本体５０の循環口５６から吸引した洗滌液，水，消毒液等を、再度槽本体５０に供給するための給水循環ノズル２４が配設されている。尚、消毒液ノズル２３、給水循環ノズル２４は、平行な面５１ｆに配設されていてもよい。
【００４１】
また、テラス部５１のテラス面５１ｔの操作者用操作位置４ｋに対向する側に、第１の内視鏡１００及び第２の内視鏡１１０の内部に設けられた後述する各管路に、洗滌液，水，アルコール，消毒液、またはエア等の流体（以下、まとめて単に流体と称す）を供給するための２つのポート３３ａ、３３ｂからなる送気送水／鉗子口用ポート３３と、２つのポート３４ａ、３４ｂからなる副送水／鉗子起上用ポート３４と、２つの漏水検知用ポート３５とが配設されている。尚、各ポート３３〜３５の個数は、上述した個数に限定されない。
【００４２】
次に、上述したトップカバー３の内面３ｎの構成について、図４〜図６を用いて説明する。図４は、図２のトップカバーの内面を示す平面図、図５は、図４中のＶ−Ｖ線に沿う断面図、図６は、図５の凸部の断面形状の変形例を示す断面図である。
【００４３】
図４に示すように、トップカバー３の内面３ｎに、レール状の複数の凸部７０が、平面上、放射状に、トップカバー３の内面と一体的に形成されている。また、複数の凸部７０は、トップカバー３を、装置本体２に対して閉成した際、洗滌消毒槽４の保持網６０に巻回され載置されている内視鏡１００、１１０の、例えば各挿入部１０２、１１２、各ユニバーサルコード１０３、１１３に対向するトップカバー３の内面３ｎの位置に形成されている。
【００４４】
複数の凸部７０は、図５に示すように、例えば断面形状が半球状を有している。尚、複数の凸部７０の断面形状は、半球状に限らず、球状であっても構わないし、図６に示すように、三角状であっても構わない。また、複数の凸部７０は、トップカバー３の内面３ｎと一体でなくとも別体で設けられていても構わない。
【００４５】
複数の凸部７０は、トップカバー３を、装置本体２に対して閉成した際、複数の凸部７０のいずれかに接触する、槽本体５０に収容されている内視鏡１００、１１０の、例えば各挿入部１０２、１１２、各ユニバーサルコード１０３、１１３の少なくとも１つの外表面の後述する接触部位９０（図７参照）との間に、間隙９１（図７参照）を形成するものである。
【００４６】
即ち、複数の凸部７０は、トップカバー３の内面３ｎと、該内面３ｎと接触する内視鏡１００または内視鏡１１０の外表面の接触部位９０との間に、間隙９１を形成するものあり、本発明におけるトップカバー３の内面３ｎと内視鏡１００または内視鏡１１０との間に設けられた間隙形成部材を構成している。
【００４７】
次に、このように構成された本実施の形態の作用について、上述した図１〜図６、及び図７、図８を用いて説明する。図７は、本実施の形態の作用を示すトップカバーを装置本体に閉成した際の、トップカバーに対する内視鏡の接触状態を示す部分断面図、図８は、従来のトップカバーを装置本体に閉成した際の、トップカバーに対する内視鏡の接触状態を示す部分断面図である。
【００４８】
使用後の内視鏡１００、１１０を洗滌消毒する際は、洗滌消毒槽４の槽本体５０に配設された保持網６０へ、図３に示すように、例えば、先ず内視鏡１１０の操作部１１１を、保持網６０上において、各ポート３３〜３５が配設された側に載置し、挿入部１１２及びユニバーサルコード１１３を、保持網６０における槽本体５０の略中央において、洗滌ケース６、給水管路消毒用ポート７の周囲に巻回して載置する。
【００４９】
次いで、内視鏡１００の操作部１０１を、保持網６０における、各ポート３３〜３５が配設された側に載置し、挿入部１０２及びユニバーサルコード１０３を、保持網６０における槽本体５０の略中央において、洗滌ケース６、給水管路消毒用ポート７の周囲に巻回して載置する。
【００５０】
尚、この際、槽本体５０は、洗滌消毒に必要な最低限の大きさに形成されているため、内視鏡１１０の操作部１１１の一部は、内視鏡１００の操作部１０１に重畳されて配置される。
【００５１】
また、内視鏡１１０の挿入部１１２及びユニバーサルコード１１３の一部は、内視鏡１００の挿入部１０２またはユニバーサルコード１０３に重畳されて配置される。または、挿入部１１２は、ユニバーサルコード１１３に重畳されて配置される。もしくは、挿入部１０２は、ユニバーサルコード１０３に重畳されて配置される。
【００５２】
その後、図３に示すように、送気送水／鉗子口用ポート３３ａに流入側接続口１５０ｃが接続された、流出側が２股に分岐された、例えばＹ字状の分岐チューブ１５０の流出側接続口１５０ａを、内視鏡１００の内部に配設された送気送水管路の、操作部１０１の外表面における管路接続口９８に接続する。
【００５３】
また、分岐チューブ１５０の流出側接続口１５０ｂを、内視鏡１００の内部に配設された吸引管路を兼ねた処置具挿通用管路の、操作部１０１の外表面における管路接続口９９に接続する。
【００５４】
さらに、送気送水／鉗子口用ポート３３ｂに流入側接続口１５１ｃが接続された、流出側が２股に分岐された、例えばＹ字状の分岐チューブ１５１の流出側接続口１５１ａを、内視鏡１１０の内部に配設された送気送水管路の、操作部１１１の外表面における管路接続口１９８に接続する。
【００５５】
また、分岐チューブ１５１の流出側接続口１５１ｂを、内視鏡１１０の内部に配設された吸引管路を兼ねた処置具挿通用管路の、操作部１１１の外表面における管路接続口１９９に接続する。
【００５６】
尚、内視鏡１００、１１０が、それぞれ副送水／鉗子起上用管路を有している場合には、副送水／鉗子起上用ポート３４ａに一端が接続された洗滌チューブの他端を、内視鏡１００の副送水／鉗子起上用管路の管路接続口に接続する。また、副送水／鉗子起上用ポート３４ｂに一端が接続された洗滌チューブの他端を、内視鏡１１０の副送水／鉗子起上用管路の管路接続口に接続する。
【００５７】
さらに、図３に示すよう、それぞれ、一方の漏水検知用ポート３５に一端が接続された洗滌チューブの他端を、内視鏡１００の漏水検知用の接続口９７に接続し、他方の漏水検知用ポート３５に一端が接続された洗滌チューブの他端を、内視鏡１１０の漏水検知用の接続口１９７に接続する。
【００５８】
次いで、図１に示すように、トップカバー３を、装置本体２に対して閉成することにより、洗滌消毒槽４の槽本体５０の内視鏡収容口２ｓをトップカバー３により閉成する。
【００５９】
この際、例えば、内視鏡１１０のユニバーサルコード１１３の外表面が内面３ｎに接触する場合には、トップカバー３の内面３ｎは、該内面３ｎに形成された複数の凸部７０の内、いずれかの凸部７０のみが、ユニバーサルコード１１３の外表面の接触部位９０に、点接触、線接触または面接触する。
【００６０】
その結果、接触部位９０に接触する凸部７０により、トップカバー３の内面３ｎと、ユニバーサルコード１１３の接触部位９０の外表面との間には、図７に示すように、間隙９１が形成される。
【００６１】
その後、内視鏡洗滌消毒工程をスタートすると、洗滌消毒槽４に洗滌液が一杯に満たされて内視鏡１００、１１０の各外表面及び各管路内が洗滌された後、洗滌消毒槽４に消毒液が一杯に満たされて内視鏡１００、１１０の各外表面及び各管路内が消毒される。尚、この洗滌処理または消毒処理は周知であるため、その詳しい説明は省略する。
【００６２】
ここで、内視鏡を洗滌または消毒する際、従来の図８に示すようなトップカバー３の内面３ｎが平面に形成されている内視鏡装置においては、内面３ｎと接触部位９０との接触面積が大きくなってしまい、内面３ｎと接触部位９０との間に、洗滌液または消毒液を入り込ませることが出来ず、接触部位９０の外表面を確実に洗滌または消毒することが難しかった。
【００６３】
しかしながら、本実施の形態においては、ユニバーサルコード１１３の接触部位９０には、トップカバー３の内面３ｎに形成された凸部７０のみが接触し、内面３ｎと接触部位９０との接触面積は、図８に示す従来に比べ、大幅に小さくなることから、洗滌または消毒の際、洗滌液または消毒液は、凸部７０により形成されたトップカバー３の内面３ｎとユニバーサルコード１１３との間の間隙９１にまでも注入され、該間隙に面するユニバーサルコード１１３の外表面は、確実に洗滌または消毒される。
【００６４】
また、凸部７０と接触部位９０とは、最小限の接触面積で接触しているため、間隙９１に注入された洗滌液または消毒液を、凸部７０と接触部位９０との間に入り込ませることも可能となる。
【００６５】
尚、このことは、トップカバー３の内面３ｎに、ユニバーサルコード１１３が接触している場合に限らず、ユニバーサルコード１０３、挿入部１０２、１１２が接触している場合でも同様である。
【００６６】
また、その他の内視鏡洗滌消毒装置を用いた洗滌または消毒処理における作用は周知であるため、その説明は省略する。
【００６７】
このように、本実施の形態においては、トップカバー３の内面３ｎに、例えば断面形状が半球状を有しているレール状の複数の凸部７０が、平面上、放射状に、トップカバー３の内面と一体的に形成されていると示した。
【００６８】
また、複数の凸部７０は、トップカバー３を、装置本体２に対して閉成した際、洗滌消毒槽４の保持網６０に巻回されて載置されている内視鏡１００、１１０の、例えば各挿入部１０２、１１２、各ユニバーサルコード１０３、１１３に対向するトップカバー３の内面３ｎの位置に形成されていると示した。
【００６９】
このことによれば、洗滌消毒槽４の保持網６０に、内視鏡１００、１１０が正しくセッティングされておらず、トップカバー３を装置本体２に対して閉成した際、トップカバー３の内面３ｎが、内視鏡の接触部位９０に接触してしまったとしても、トップカバー３の内面３ｎに形成された複数の凸部７０のいずれかのみに内視鏡の接触部位９０は接触するため、最小限の接触となることから、確実に、内視鏡の内面３ｎに接触する接触部位９０をも洗滌消毒することができる。
【００７０】
このことから、トップカバー３の内面３ｎに凸部７０を設けることのみの簡単な構成にて、洗滌消毒槽４に対する内視鏡１００、１１０のセッティング性を向上させることができるとともに、確実に内視鏡１００、１１０を洗滌消毒することができる。
【００７１】
尚、以下変形例を示す。本実施の形態においては、２本の内視鏡１００、１１０を洗滌消毒する際の、トップカバー３の内面３ｎと内視鏡の接触部位９０との接触面積を最小限にする構成、作用、効果について記載したが、１本の内視鏡を洗滌消毒する際であっても同様の効果を得ることができるということは云うまでもない。
【００７２】
また、本実施の形態においては、２本の内視鏡１００、１１０は、保持網６０に載置される場合を例に挙げてしめしたが、これに限らず、保持網６０を用いずに、洗滌消毒槽４に直接、内視鏡１００、１１０を収容した場合であっても、本実施の形態と同様の効果を得ることができる。
【００７３】
また、以下別の変形例を示す。図９は、図２のトップカバーの内面に複数の凹部を設けた変形例の際の、トップカバーに対する内視鏡の接触状態を示す部分断面図である。
【００７４】
本実施の形態においては、トップカバー３の内面３ｎに、例えば断面形状が半球状を有しているレール状の複数の凸部７０が、平面上、放射状に、トップカバー３の内面３ｎと一体的に形成されていると示した。
【００７５】
このことに限らず、図９に示すように、トップカバー３の内面３ｎに、レール状の複数の凹部である凹溝７１を、上述した凸部７０と同様に、平面上、放射状に形成しても、トップカバー３の内面３ｎと、例えば内視鏡１１０のユニバーサルコード１１３の外表面の接触部位９０との間の接触面積は、最小限となるとともに、凹溝７１により、トップカバー３の内面３ｎとユニバーサルコード１１３の凹溝７１に面する外表面との間に、間隙９１が形成されるため、本実施の形態と同様の効果を得ることができる。尚、このことは、内視鏡１００であっても同様であり、２本の内視鏡１００、１１０を洗滌消毒する場合であっても同様である。
【００７６】
また、この場合、凹溝７１は、本発明におけるトップカバー３の内面３ｎと内視鏡１００または内視鏡１１０との間に設けられた間隙形成部材を構成している。
【００７７】
（第２実施の形態）
図１０は、本実施の形態の内視鏡洗滌消毒装置のトップカバーを装置本体に閉成した際、トップカバー上方から見た内視鏡挿入部、ユニバーサルコード及びトップカバーの上面図、図１１は、図１０中のＸＩ−ＸＩ線に沿う、トップカバーの断面図である。
【００７８】
尚、本実施の形態は、上述した第１実施の形態と比して、複数の凸部７０または凹溝７１を、トップカバー３の内面３ｎにおいて、内視鏡の外表面の接触部位９０が接触するあらかじめ設定された領域のみに形成する点のみが異なる。よって、この相違点のみを説明し、第１実施の形態と同様の構成には同じ符号を付し、その説明は省略する。
【００７９】
ところで、洗滌消毒槽４の保持網６０に内視鏡を載置し、装置本体２に対しトップカバー３を閉成すると、保持網６０に載置された内視鏡は、１本であっても２本であっても、内視鏡挿入部とユニバーサルコードとが重畳して交差する部位が、接触部位となってトップカバー３の内面３ｎに接触しやすくなる。
【００８０】
具体的には、図１０に示すように、例えば内視鏡１１０の内視鏡挿入部１１２とユニバーサルコード１１３とが重畳して交差する部位が、接触部位９０となってトップカバー３の内面３ｎに接触しやくなる。
【００８１】
また、保持網６０を用いると、例えば内視鏡１１０を保持網６０に載置して、装置本体２に対しトップカバー３を閉成した際、内視鏡１１０の内視鏡挿入部１１２とユニバーサルコード１１３とが重畳して交差する部位、即ちトップカバー３の内面３ｎに接触する接触部位９０が、トップカバー３の内面３ｎにおいて、図１０に示す領域９５として、ある程度、一義的に設定される。
【００８２】
よって、本実施の形態においては、複数の凸部７０を、トップカバー３の内面３ｎにおける上述したあらかじめ設定された領域９５のみに形成する。
【００８３】
このことによれば、上述した本実施の形態よりもトップカバー３の内面３ｎに形成する凸部７０の個数が減るため、上述した第１実施の形態よりも、低コストにて、洗滌消毒槽４に対する内視鏡１１０のセッティング性を向上させることができるとともに、確実に内視鏡１１０を洗滌消毒することができる内視鏡洗滌消毒装置が提供できる。
【００８４】
尚、このことは、内視鏡１００の接触部位９０がトップカバー３の内面３ｎに接触する場合であっても同様であり、２本の内視鏡１００、１１０の各接触部位９０がトップカバー３の内面３ｎに接触する場合であっても同様である。
【００８５】
また、このことは、複数の凸部７０に限らず、上述した図９に示した複数の凹溝７１を、トップカバー３の内面３ｎにおけるあらかじめ設定された領域９５のみに形成しても、凸部７０の場合と同様の効果を得ることができる。
【００８６】
さらに、凹溝の場合、トップカバー３の内面３ｎのあらかじめ設定された領域９５に、図１１に示すように、例えば内視鏡１１０のユニバーサルコード１１３または挿入部１１２の径よりも大径であって、上述した凹溝７１よりも深い溝となる凹溝１７１を形成すれば、該凹溝１７１により、内視鏡挿入部１１２とユニバーサルコード１１３とが重畳して交差する部位は、トップカバー３の内面３ｎに、間隙１９１により非接触となるため、より確実に内視鏡１１０を洗滌消毒することができる内視鏡洗滌消毒装置が提供できる。尚、この場合も、凹溝１７１は、本発明におけるトップカバー３の内面３ｎと内視鏡１００または内視鏡１１０との間に設けられた間隙形成部材を構成する。
【００８７】
ここで、凹溝１７１をトップカバー３の内面３ｎの全面に形成すれば、確かに内面３ｎと内視鏡１１０の外表面との接触を防止することは出来るが、通常、内視鏡を洗滌消毒する際は、洗滌液または消毒液は、内面３ｎをも洗滌消毒するため、洗滌消毒槽４に、該洗滌消毒槽４を一杯に満たす量が注入されることから、凹溝１７１を全面に形成してしまうと、内面３ｎの槽本体５０の底面５０ｔからの高さが高くなってしまい、使用する洗滌液または消毒液の量が増大し、洗滌消毒工程の工程時間が増大してしまう。
【００８８】
また、内面３ｎの槽本体５０の底面５０ｔからの高さが高くなることで、内面３ｎと、内視鏡１１０の外表面との接触の可能性を低減することはできるが、保持網６０への内視鏡１１０のセッティングによっては、上述した図８に示すように、内面３ｎと接触部位９０との接触面積が大きくなってしまう可能性がある。
【００８９】
このことからも、大径の凹溝１７１は、トップカバー３の内面３ｎのあらかじめ設定された領域９５のみに形成されることが好ましい。
【００９０】
尚、以上のことは、内視鏡１００の接触部位９０がトップカバー３の内面３ｎに接触する場合であっても同様であり、２本の内視鏡１００、１１０の各接触部位９０がトップカバー３の内面３ｎに接触する場合であっても同様である。
【００９１】
（第３実施の形態）
図１２は、本実施の形態の内視鏡洗滌装置のトップカバーに形成される凹溝の形状を示す図、図１３は、図１２中のＸＩＩＩ−ＸＩＩＩ線に沿う断面を、内視鏡挿入部及びユニバーサルコードとともに示した断面図である。
【００９２】
尚、本実施の形態は、上述した第２実施の形態と比して、凹溝を、保持網６０に巻回されて載置される内視鏡１００、１１０の各挿入部１０２、１１２、各ユニバーサルコード１０３、１１３の巻回形状に略沿って、トップカバー３の内面３ｎに形成する点のみが異なる。よって、この相違点のみを説明し、第２実施の形態と同様の構成には同じ符号を付し、その説明は省略する。
【００９３】
図１２に示すように、凹部である凹溝２７１は、内視鏡１００、１１０の各挿入部１０２、１１２または各ユニバーサルコード１０３、１１３よりも大径に、トップカバー３の内面３ｎにおいて、保持網６０に載置される各挿入部１０２、１１２または各ユニバーサルコード１０３、１１３の巻回形状に略沿って形成されている。
【００９４】
尚、トップカバー３の内面３ｎに巻回形状に略沿って形成された凹溝２７１により、該凹溝２７１と凹溝２７１との間には、図１３に示すように、凸部であるガイド突起１７０が形成される。尚、ガイド突起１７０は、各端部が曲面に形成されている。
【００９５】
このような構成によれば、装置本体２に対しトップカバー３を閉成した際、図１３に示すように、例えば内視鏡１１０の挿入部１１２、ユニバーサルコード１１３、内視鏡１００の挿入部１０２は、先ず、ガイド突起１７０に接触された後、該ガイド突起１７０の端部に形成された曲面により凹溝２７１にガイドされ、嵌入される。この際、凹溝２７１と挿入部１０２、１１２、ユニバーサルコード１１３との間には、間隙２９１が形成される。
【００９６】
このことから、挿入部１０２、１１２、ユニバーサルコード１１３は、凹溝２７１に接触しない、即ち、トップカバー３の内面３ｎに非接触となることから、洗滌消毒の際、挿入部１０２、１１２、ユニバーサルコード１１３を確実に洗滌消毒できるため、本実施の形態と同様の効果を得ることができる。尚、図示しなかったが、内視鏡１００のユニバーサルコード１０３がトップカバー３の内面３ｎに接触する場合も同様である。
【００９７】
よって、この場合、凹溝２７１及びガイド突起１７０は、本発明におけるトップカバー３の内面３ｎと内視鏡１００または内視鏡１１０との間に設けられた間隙形成部材を構成している。
【００９８】
（第４実施の形態）
図１４は、本実施の形態を示す内視鏡洗滌消毒装置のトップカバーを装置本体に閉成した際の、トップカバーに対する保持網の接触状態を示す部分拡大断面図である。
【００９９】
尚、本実施の形態は、上述した第１〜第３実施の形態と比して、トップカバー３の内面３ｎに凸部または凹溝等を形成しなくとも、トップカバー３の内面３ｎと内視鏡１００、１１０との接触が防げる点のみが異なる。よって、この相違点のみを説明し、第１〜第３実施の形態と同様の構成には同じ符号を付し、その説明は省略する。
【０１００】
図１４に示すように、内視鏡保持部材である、上述した保持網６０は、該保持網６０に、内視鏡１１０が載置された後、載置された内視鏡１１０よりもトップカバー３の内面３ｎ側、即ち内視鏡１１０の収容口２ｓ側の外表面に対し、保持蓋６０ｈが載置されるようになっている。
【０１０１】
このことによれば、装置本体２に対してトップカバー３を閉成した際、トップカバー３の内面３ｎは、内視鏡１１０の収容口２ｓ側の外表面に載置された保持蓋６０ｈに接触する。即ち、保持蓋６０ｈにより、トップカバー３の内面３ｎと内視鏡１１０の挿入部１１２、ユニバーサルコード１１３の接触部位９０との間に間隙３９１が形成される。
【０１０２】
このことから、トップカバー３の内面３ｎが内視鏡１１０の挿入部１１２、ユニバーサルコード１１３に接触することがない。よって、保持網６０は、本発明におけるトップカバー３の内面３ｎと内視鏡１００または内視鏡１１０との間に設けられた間隙形成部材を構成している。
【０１０３】
以上より、本実施の形態においては、トップカバー３の内面３ｎに凸部７０等が形成できない場合であっても、上述した第１〜第３実施の形態と同様の効果を得ることができる。尚、以上のことは、内視鏡１００の接触部位９０がトップカバー３の内面３ｎに接触する場合であっても同様であり、２本の内視鏡１００、１１０の各接触部位９０がトップカバー３の内面３ｎに接触する場合であっても同様である。
【０１０４】
図１５は、図１の内視鏡洗滌消毒装置にて、内視鏡及び処置具を超音波洗滌する際の電気回路の構成を概略的に示すブロック図、図１６は、図１の内視鏡洗滌消毒装置のメイン操作パネルに設けられた超音波洗滌モード選択スイッチを示す図、図１７は、図１６の超音波洗滌モード選択スイッチの変形例を示す図、図１８は、図１５の超音波振動板及び超音波振動子を示す平面図、図１９は、互いに異なる共振周波数を有する２つ超音波振動子が設けられた場合の図１８の超音波振動板及び超音波振動子を側面からみた図である。
【０１０５】
ところで、図２に示す、内視鏡洗滌消毒装置１の洗滌消毒槽４の槽本体５０の底面５０ｔの裏面には、既知の超音波振動子が設けられており、内視鏡を洗滌する際、内視鏡を超音波洗滌することができる。尚、内視鏡の超音波洗滌を行う際は、内視鏡の耐久性を考慮して、超音波振動子の出力及び発振周波数を、例えば１００Ｗ／３６ｋＨｚ程度にして行うのが一般的である。
【０１０６】
また、一般に、内視鏡１００、１１０の上述した処置具挿通用管路に挿通される処置具は、既知のオートクレープ処理等により滅菌処理される前に、内視鏡洗滌消毒装置とは別の処置具用の超音波洗滌機で洗滌される。尚、処置具の超音波洗滌を行う際は、処置具の方が内視鏡よりも高い洗滌性を求められる。
【０１０７】
よって、処置具の超音波洗滌を行う際は、処置具は内視鏡よりも超音波に対する耐性が強いことも利用して、超音波振動子の出力を１００Ｗ以上、例えば２００Ｗにして、洗滌ムラをなくすため、発振周波数を３８ｋＨｚ〜４２.５ｋＨｚの複数の発振周波数を用いて行うのが一般的である。
【０１０８】
このことから、仮に、内視鏡を処置具用の超音波洗滌機で超音波洗滌すると、内視鏡の耐久性が低下してしまう場合があり、また、処置具を内視鏡洗滌消毒装置で超音波洗滌すると、洗滌不良が発生する場合があるため、ユーザは、内視鏡を洗滌消毒する内視鏡洗滌消毒装置と、処置具を洗滌する超音波洗滌機とを別途に購入しなければならないといった問題があった。
【０１０９】
このような問題に鑑み、上述した第１〜第４実施の形態の内視鏡洗滌消毒装置１は、内視鏡と処置具との両方を対象として確実に超音波洗滌することのできる構成を有している。
【０１１０】
具体的には、例えばメイン操作パネル２５には、超音波洗滌による被洗滌物が内視鏡か処置具かの選択を行う操作部を構成する超音波洗滌モード選択スイッチ１２０が設けられている。
【０１１１】
尚、超音波洗滌モード選択スイッチ１２０は、図１６に示すように、押釦スイッチ１２０ｐから構成されていても構わないし、スライダスイッチ１２０ｓから構成されていても構わない。
【０１１２】
ユーザにより、被洗滌物が内視鏡か処置具かの選択が超音波洗滌モード選択スイッチ１２０により入力されると、図１５に示す、装置本体２内のＣＰＵ１２１により、各被洗滌物を洗滌するのに適した超音波出力と発振周波数への切換を行う信号である電源電圧調整信号と、発振周波数調整信号と、駆動振動子制御信号とが出力される。
【０１１３】
尚、以下の図１５に示すブロック図における各構成要素は、装置本体２内に配設されている。
【０１１４】
その後、電源電圧調整信号は、超音波発振回路１３０の電圧位相制御部１３０ａにて、位相を制御する抵抗値を電子スイッチにより切換る。これにより、交流電源１６０からの入力ＡＣ電圧が位相制御され、超音波発振回路１３０の整流平滑部１３０ｂより出力されるＤＣ電圧値が調整される。
【０１１５】
この調整後のＤＣ電圧は、超音波発振回路１３０のドライブ回路１３０ｃとスイッチング回路１３０ｄとによりスイッチングされる。１次側のスイッチング出力は、超音波発振回路１３０の出力トランス１３０ｅにて、１次側と２次側の巻線比の二乗の割合で２次側の出力となる。２次側の出力は、超音波発振回路１３０の整合回路１３０ｆにて、後述する超音波振動子１８１の固有デバイス容量をキャンセルすることで効率の改善を図る。
【０１１６】
このことにより、洗滌消毒槽４の槽本体５０の底面５０ｔの裏面側に位置する超音波振動子１８１が駆動され、槽本体５０の底面５０ｔに固定された超音波振動板１８０が振動することで、洗滌消毒槽４内の洗浄液に浸漬された被洗滌物が超音波洗滌される。
【０１１７】
スイッチング周波数の最初の起動は、超音波発振回路１３０の基準周波数発振回路１３０ｇにて初期発振を行い、超音波振動子１８１が発振した後は、超音波発振回路１３０の電流、電圧検出回路１３０ｈにて出力電流、電圧を検出する。
【０１１８】
そして、超音波発振回路１３０の位相検出、比較器１３０ｉと、発振周波数調整信号が入力された電圧制御発振回路１３０ｊとにおいて、超音波振動子１８１の発振周波数に自動追尾を行う。
【０１１９】
尚、出力の切換は、電源電圧調整信号にて調整する方法以外にも、駆動振動子制御信号にて調整する方法もある。
【０１２０】
図１８に示すように、超音波振動子１８１が８つ設けられている場合、例えば８つの振動子で１００Ｗを出力すると、８つの超音波振動子１８１の、図１８に示す奇数番号の超音波振動子１８１を開放することにより、出力は半減して５０Ｗとなる。
【０１２１】
また、超音波振動子１８１の数は多いほど、超音波洗滌における洗滌ムラが少なくなる。ここで、上述したように、内視鏡に比べ処置具は、より高い洗滌力を求められることより、例えば８個の超音波振動子１８１をそれぞれ２個ずつより構成して計１６個設け、該計１６個の超音波振動子１８１を開放すると、出力は８個の場合より倍増して、２００Ｗを出力するようになる。尚、該２００Ｗの出力を処置具洗滌用とする。また、１６個の内、８個の超音波振動子１８１を開放し、１００Ｗを出力する場合を内視鏡洗滌用とする。
【０１２２】
よって、上述した駆動振動子制御信号により、８個の超音波振動子１８１を開放するか１６個の超音波振動子１８１を開放するかの切換を、電子スイッチまたは、機械的なスイッチにて行い、各超音波振動子１８１の出力制御を行う。
【０１２３】
発振周波数の切換は、上述した発振周波数調整信号にて、電圧制御発振回路１３０ｊの発振周波数を調整する抵抗値を電子スイッチにて切換ることにより行い、これにより、異なる発振周波数でのスイッチング動作が可能となる。
【０１２４】
また、超音波振動子１８１の発振周波数は、超音波振動子１８１の共振周波数よりずれると、位相のずれより振動効率が悪くなるため、図１９に示すような、異なる共振周波数を持つ超音波振動子１８１ａ、１８１ｂを二つ以上つなげた計１６個のマルチタイプの超音波振動子１８１を用いてもよい。
【０１２５】
図２０は、図１５の超音波発振回路を、発振回路と増幅回路とで構成した例を概略的に示すブロック図、図２１は、図２０の超音波発振回路にリレー回路を設けて、複数の超音波振動子をそれぞれ別個に発振させる構成を概略的に示すブロック図である。
【０１２６】
図２０に示すように、超音波発振回路１３０の構成としては、図１５に示したスイッチング回路１３０ｄを用いたものでなくとも、電圧制御発振回路１３０ｊ＋増幅回路１４１という構成でもよい。この場合、発振周波数の切換は電圧制御発振回路１３０ｊにて行い、出力の切換は増幅回路１４１にて行う。
【０１２７】
また、超音波振動子１８１が、複数の超音波振動子１８１から構成されている場合は、図２０の構成に加え、図２１に示すように、超音波発振回路１３０にリレー回路１４２を設け、リレー回路１４２をオフにした際、一方の超音波振動子１８１ｋを発振させ、リレー回路１４２をオンにした際、２つの超音波振動子１８１ｋ、１８１ｍを双方発振させるよう切換る構成としてもよい。
【０１２８】
以上に示した超音波発振回路１３０の構成によれば、超音波洗滌モード選択スイッチ１２０がユーザにより切換られた後、ＣＰＵ１２１から出力される電源電圧調整信号または駆動振動子制御信号にて、内視鏡を超音波洗滌する場合と処置具を超音波洗滌する場合とで、超音波出力の切換を行うことができることから、１台の内視鏡洗滌消毒装置１にて、異なる超音波特性を出力でき、超音波に対する耐久性を確保しつつ、確実に内視鏡及び処置具を超音波洗滌することができる。また、処置室において、内視鏡洗滌消毒装置と処置具用の超音波洗滌装置の２台を設置する必要がなくなる。
【０１２９】
また、内視鏡洗滌消毒装置１が持つ機能をそのまま処置具の洗滌にも活用することができる。例えば、洗滌に用いる水道水の給水に関しては水道水の雑菌を取り除く水フィルタを用いることが出来ること、及び排水に関しては排水ポンプによる高速排水が自動で出来ること、並びに必要に応じて洗剤の自動供給及び流液洗滌等を超音波洗滌と組み合わせて用いること等が出来ることにより、処置具に対するより高い洗滌効果と工程時間の短縮とを、処置具用の超音波洗滌機を用いるよりも実現することができる。
【０１３０】
さらに、内視鏡と処置具とを判別する識別機能となる保護手段を設けることで、操作ミスによる内視鏡の破損、処置具の洗滌不良を防止することが出来る。図２２は、図２の装置本体に内視鏡と処置具とを判別する保護手段を設けた例を示すブロック図である。
【０１３１】
内視鏡と処置具とを判別する識別機能としては、例えばＩＤやバーコードによる固有パラメータで被洗滌物を判別する方法や、通常、内視鏡１００、１１０の各管路内は、該管路の管路接続口９８、９９、１９８、１９９に、上述した各ポート３３に接続された分岐チューブ１５０、１５１を接続することにより洗滌することから、内視鏡洗滌消毒装置１側の各ポート３３ａ、３３ｂに圧力センサ等のスコープ脱着認識部を設けることで内視鏡の接続を判別する方法等がある。
【０１３２】
具体的には、先ず、ＩＤによって、被洗滌物を判別する方法においては、図２２に示すように、装置本体２に保護手段１４５を設け、該保護手段１４５のＩＤ識別部１４５ａが、被洗滌物である内視鏡及び処置具にそれぞれ設けられているＩＤを自動的に認識することにより、ＣＰＵ１２１は、被洗滌物に適応した超音波を出力する切換を行う。
【０１３３】
このように、ＩＤ識別部１４５ａにて被洗滌物の自動認識を行うことで、被洗滌物が内視鏡である場合に処置具用の超音波を出力してしまい、内視鏡の耐久性が劣化してしまうことを防止することができる。また逆に、被洗滌物が処置具である場合に内視鏡用の超音波を出力してしまい、処置具が洗滌不十分になってしまうことを防止することができる。
【０１３４】
次に、内視鏡の接続を判別することによって、被洗滌物を判別する方法においては、保護手段１４５のスコープ脱着認識部１４５ｂが、内視鏡１００、１１０の管路内に送気または送水を行う際、管路接続口９８、９９、１９８、１９９が、分岐チューブ１５０、１５１を介して、上述した各ポート３３ａ、３３ｂに接続されているか否かを、送気または送水の圧力を測定することにより判別する。
【０１３５】
具体的には、スコープ脱着認識部１４５ｂは、圧力が検出されれば、被洗浄物は内視鏡であると判別し、圧力が検出されなければ、処置具は洗滌チューブを接続して洗滌することがないため、被洗浄物は処置具であると判別する。その結果、ＣＰＵ１２１は、被洗滌物に適応した超音波を出力する切換を行う。このことによっても、ＩＤの場合と同様の効果を得ることができる。
【０１３６】
尚、ＩＤ識別部１４５ａによるＩＤの認識と、スコープ脱着認識部１４５ｂによる内視鏡の接続有無の判別は、同時に行っても構わない。また、このことを用いれば、ユーザにより、超音波洗滌モード選択スイッチ１２０を選択する必要がなくなる。
【図面の簡単な説明】
【０１３７】
【図１】本実施の形態を示す内視鏡洗滌消毒装置の斜視図。
【図２】図１のトップカバーが開成され、洗滌消毒槽に２本の内視鏡が収納自在な状態を示す内視鏡洗滌消毒装置の斜視図。
【図３】図２の洗滌消毒槽に２本の内視鏡が収容された状態を示す、トップカバーが開成された際の内視鏡洗滌消毒装置の上面図。
【図４】図２のトップカバーの内面を示す平面図。
【図５】図４中のＶ−Ｖ線に沿う断面図。
【図６】図５の凸部の断面形状の変形例を示す断面図。
【図７】本実施の形態の作用を示すトップカバーを装置本体に閉成した際の、トップカバーに対する内視鏡の接触状態を示す部分断面図。
【図８】従来のトップカバーを装置本体に閉成した際の、トップカバーに対する内視鏡の接触状態を示す部分断面図。
【図９】図２のトップカバーの内面に複数の凹部を設けた変形例の際の、トップカバーに対する内視鏡の接触状態を示す部分断面図。
【図１０】本実施の形態の内視鏡洗滌消毒装置のトップカバーを装置本体に閉成した際、トップカバー上方から見た内視鏡挿入部、ユニバーサルコード及びトップカバーの上面図。
【図１１】図１０中のＸＩ−ＸＩ線に沿う、トップカバーの断面図。
【図１２】本実施の形態の内視鏡洗滌装置のトップカバーに形成される凹溝の形状を示す図。
【図１３】図１２中のＸＩＩＩ−ＸＩＩＩ線に沿う断面を、内視鏡挿入部及びユニバーサルコードとともに示した断面図。
【図１４】本実施の形態を示す内視鏡洗滌消毒装置のトップカバーを装置本体に閉成した際の、トップカバーに対する保持網の接触状態を示す部分拡大断面図。
【図１５】図１の内視鏡洗滌消毒装置にて、内視鏡及び処置具を超音波洗滌する際の電気回路の構成を概略的に示すブロック図。
【図１６】図１の内視鏡洗滌消毒装置のメイン操作パネルに設けられた超音波洗滌モード選択スイッチを示す図。
【図１７】図１６の超音波洗滌モード選択スイッチの変形例を示す図。
【図１８】図１５の超音波振動板及び超音波振動子を示す平面図。
【図１９】互いに異なる共振周波数を有する２つ超音波振動子が設けられた場合の図１８の超音波振動板及び超音波振動子を側面からみた図。
【図２０】図１５の超音波発振回路を、発振回路と増幅回路とで構成した例を概略的に示すブロック図。
【図２１】図２０の超音波発振回路にリレー回路を設けて、複数の超音波振動子をそれぞれ別個に発振させる構成を概略的に示すブロック図。
【図２２】図２の装置本体に内視鏡と処置具とを判別する保護手段を設けた例を示すブロック図。
【符号の説明】
【０１３８】
１…内視鏡洗滌消毒装置
２…装置本体
２ｓ…内視鏡収容口
３…トップカバー
３ｎ…トップカバーの内面
４…洗滌消毒槽
６０…保持網
６０ｈ…保持蓋
６０ｔ…保持網の突出部位
７０…凸部
７１…凹溝
９０…内視鏡の接触部位
９１…間隙
９５…トップカバーの内面のあらかじめ設定された領域
１００…内視鏡
１１０…内視鏡
１７０…凸部
１７１…凹溝
１９１…間隙
２７１…凹溝
２９１…間隙
【図１】
0004611218.tif 000002
【図２】
0004611218.tif 000003
【図３】
0004611218.tif 000004
【図４】
0004611218.tif 000005
【図５】
0004611218.tif 000006
【図６】
0004611218.tif 000007
【図７】
0004611218.tif 000008
【図８】
0004611218.tif 000009
【図９】
0004611218.tif 000010
【図１０】
0004611218.tif 000011
【図１１】
0004611218.tif 000012
【図１２】
0004611218.tif 000013
【図１３】
0004611218.tif 000014
【図１４】
0004611218.tif 000015
【図１５】
0004611218.tif 000016
【図１６】
0004611218.tif 000017
【図１７】
0004611218.tif 000018
【図１８】
0004611218.tif 000019
【図１９】
0004611218.tif 000020
【図２０】
0004611218.tif 000021
【図２１】
0004611218.tif 000022
【図２２】
0004611218.tif 000023